(57)【要約】【課題】光ファイバを簡便にフェルールに固定する。【解決手段】ゴムスリーブ１２を光ファイバ素線１４ｂに挿通し、光ファイバ心線１４の耐熱被覆層１４ａ上に挿通してから、光ファイバ心線１４をフェルール１１の孔部内に挿入する。光ファイバ素線１４ｂをフェルール１１の細径孔部１１ａを通して先端から十分な長さに露出し、ゴムスリーブ１２を中径孔部１１ｃ内に押し込む。  フェルール１１の後方からカバー１３を押し込むと、ゴムスリーブ１２はカバー１３の中径部１３ｂにより押し込まれて、中径孔部１１ｃ内において内径が縮小し外径が拡大する。これにより、光ファイバ心線１４はフェルール１１内で長手方向に移動しないように強固に固定される。【選択図】図６
2008058913.tif 000002
【特許請求の範囲】
【請求項１】
光ファイバ素線の外周に被覆層が形成されている光ファイバ心線をフェルールに固定する固定構造において、光ファイバ心線から被覆層を剥して露出させた前記光ファイバ素線の端部を挿通する第１の孔部と、該第１の孔部と連通し前記光ファイバ心線を挿通する第２の孔部とを有するフェルールと、前記光ファイバ心線を挿通する孔部を有し、前記フェルールの前記第２の孔部内に挿着する筒状のゴムスリーブと、前記フェルールの後部に装着し、前記ゴムスリーブを前方に押圧し、前記ゴムスリーブを前記第２の孔部内において圧縮し、前記光ファイバ心線を前記フェルールに固定するカバーとから成ることを特徴とする光ファイバ心線固定構造。
【請求項２】
前記フェルール、前記カバーは合成樹脂から成ることを特徴とする請求項１に記載の光ファイバ心線固定構造。
【請求項３】
前記フェルールに前記カバーを挿着した後に、両者を錠止する機構を有することを特徴とする請求項１に記載の光ファイバ心線固定構造。
【請求項４】
光ファイバ素線を露出した光ファイバ心線の被覆部に筒状のゴムスリーブを挿通する第１工程と、前記光ファイバ素線をフェルールの第１の孔部に挿通し前記ゴムスリーブを前記フェルールの前記第１の孔部に連通し前記第１の孔部よりも径の大きな第２の孔部に押し込む第２工程と、前記フェルールの後部にカバーを装着して押し込み固定することにより、前記ゴムスリーブを前方に押圧して前記第２の孔部内において圧縮し前記光ファイバ心線を前記フェルールに固着する第３工程と、前記フェルールの先端部から前方に露出した前記光ファイバ素線を切断する第４工程とから成ることを特徴とする光ファイバ心線固定方法。
【請求項５】
前記第３工程において、前記フェルールと前記カバーを錠止することを特徴とする請求項４に記載の光ファイバ心線固定方法。
【発明の詳細な説明】
【技術分野】
【０００１】
本発明は、例えば石英コアを有する光ファイバ心線に対する光ファイバ心線固定構造及びその固定方法に関するものである。
【背景技術】
【０００２】
従来、フェルール内に光ファイバを固定する方法として、例えば特許文献１で示すように接着剤を塗布する方法が多く用いられ、この方法では接着剤を適量に塗布する作業工程が必要である。
【０００３】
また、接着剤を使用せずに、例えば特許文献２のように機械的に固定する手段も知られている。
【０００４】
【特許文献１】特開２００４−１４４９２１号公報
【特許文献２】実開平４−９６７０２号公報
【発明の開示】
【発明が解決しようとする課題】
【０００５】
しかし、接着剤を用いる方法はフェルール内に予め接着剤を塗布しなければならないため、光ファイバ心線をフェルールに挿通する際に、光ファイバ心線の端面及びフェルールの先端部に接着剤が付着するので、付着した接着剤を除去し、光ファイバ心線の端面を成形するための研磨工程が必要になる。
【０００６】
また、接着剤を使用しない場合でも、部品点数が多いという問題がある。
【０００７】
本発明の目的は、上述の課題を解消し、光ファイバ心線を簡便にフェルールに固定し得る光ファイバ心線固定構造及びその固定方法を提供することにある。
【課題を解決するための手段】
【０００８】
上述の目的を達成するための本発明に係る光ファイバ心線固定構造の技術的特徴は、光ファイバ素線の外周に被覆層が形成されている光ファイバ心線をフェルールに固定する固定構造において、光ファイバ心線から被覆層を剥して露出させた前記光ファイバ素線の端部を挿通する第１の孔部と、該第１の孔部と連通し前記光ファイバ心線を挿通する第２の孔部とを有するフェルールと、前記光ファイバ心線を挿通する孔部を有し、前記フェルールの前記第２の孔部内に挿着する筒状のゴムスリーブと、前記フェルールの後部に装着し、前記ゴムスリーブを前方に押圧し、前記ゴムスリーブを前記第２の孔部内において圧縮し、前記光ファイバ心線を前記フェルールに固定するカバーとから成ることにある。
【０００９】
また、本発明に係る光ファイバ心線固定方法の技術的特徴は、光ファイバ素線の外周に被覆層が形成されている光ファイバ心線をフェルールに固定する固定構造において、光ファイバ心線から被覆層を剥して露出させた前記光ファイバ素線の端部を挿通する第１の孔部と、該第１の孔部と連通し光ファイバ心線を挿通する第２の孔部とを有するフェルールと、前記光ファイバ心線を挿通する孔部を有し、前記フェルールの前記第２の孔部内に挿着する筒状のゴムスリーブと、前記フェルールの後部に装着し、前記ゴムスリーブを前方に押圧し、前記ゴムスリーブを前記第２の孔部内において圧縮し、前記光ファイバ心線を前記フェルールに固定するカバーとから成ることにある。
【発明の効果】
【００１０】
本発明に係る光ファイバ心線固定構造及びその固定方法によれば、接着剤を使用することなく、光ファイバ心線をフェルールに固定することができ、解体も可能で再利用できる。
【発明を実施するための最良の形態】
【００１１】
本発明を図示の実施例に基づいて詳細に説明する。
図１は合成樹脂製のフェルールの断面図を示し、フェルール１１は先細の筒形とされ、中心に光ファイバが挿入される孔部が設けられ、孔部は中心軸を一致させて、先端側から細径孔部１１ａ、小径孔部１１ｂ、中径孔部１１ｃ、大径孔部１１ｄの径が異なる孔部が形成されている。また、外側の上下部に後述するカバーを被着した際に、カバーを錠止するための錠止爪１１ｅが設けられている。
このフェルール１１はカバー１３に比較して、精細な成型が必要なため、材料を選定することが好ましい。フェルール１１に適用できる材料としては、寸法安定性に優れたポニフェニレンサルファイド（ＰＰＳ）などが好適である。
【００１２】
図２は光ファイバ心線に周設する合成ゴムから成るゴムスリーブ１２の断面図を示し、筒形状を有し、内部に光ファイバ心線を挿通する孔部１２ａが設けられている。このゴムスリーブ１２は弾性変形し、精度良く加工、成型できる材料であれば特に問題はないが、加工性、成型性、耐熱性に優れている点において、シリコンゴムが好ましい。
【００１３】
図３はフェルール１１に被着するカバー１３の断面図を示し、中央部の軸心方向に光ファイバ心線を挿通する孔部１３ａが形成され、中央に中径部１３ｂ、大径部１３ｃの２段階に設けられた突出部が形成され、中径部１３ｂはフェルール１１の中径孔部１１ｃ内に嵌合し、大径部１３ｃは大径孔部１１ｄ内に嵌合し、中径部１３ｂはゴムスリーブ１２を前方に押圧するようにされている。また、カバー１３のフード部１３ｄの上下部には、フェルール１１の錠止爪１１ｅとロックするための弾発性を有する錠止枠１３ｅが設けられている。更に、カバー１３の外周の同方向の３個所には、カバー１３を操作し、或いは固定のための突起１３ｆが形成されている。このカバー１３にはポリブチレンテレフタレート（ＰＢＴ）樹脂が熱変形温度が高く、高剛性、電気的特性、機械的特性に優れている点で好適である。
【００１４】
図４に示すように、光ファイバ心線１４の先端の耐熱被覆層１４ａを剥離して、光ファイバ素線１４ｂを露出し、ゴムスリーブ１２を耐熱被覆層１４ａ上に装着してから、図５に示すように光ファイバ心線１４をフェルール１１の孔部内に挿入する。つまり、例えば直径０．２３ｍｍの光ファイバ素線１４ｂをフェルール１１の細径孔部１１ａに挿通し、更に先端をフェルール１１の先端から十分な長さに突出し、ゴムスリーブ１２を耐熱被覆層１４ａ上を摺動させながら中径孔部１１ｃ内に押し込む。このとき、光ファイバ素線１４ｂの直径は上述のように細径であり、挿通には困難性が伴うが、フェルール１１の小径孔部１１ｂはガイド孔の役割を果たす。
【００１５】
ここで図６に示すように、フェルール１１の後方からカバー１３を押し込むと、ゴムスリーブ１２はカバー１３の中径部１３ｂにより押し込まれて、中径孔部１１ｃ内において内径が縮小すると共に外径が拡大する。これにより、ゴムスリーブ１２は光ファイバ心線１４をフェルール１１内で長手方向に移動しないように強固に固着することになる。
【００１６】
このとき、図７、図８にも示すように、カバー１３の錠止枠１３ｅはフェルール１１の錠止爪１１ｅを乗り越えて錠止することにより、フェルール１１とカバー１３の位置関係が確定し分離不能になる。なお、フェルール１１の先端部から突出した光ファイバ素線１４ｂは、カッタなどによりフェルール１１の先端面と面一に切断する。
【００１７】
このように本実施例では、ゴムスリーブ１２によって光ファイバ心線１４を圧縮して固定するため、フェルール１１の先端部及び光ファイバ心線１４の端面には異物が付着せず、光ファイバ心線１４の端面処理方法としての研磨工程は必要なく、専用のファイバカッタによりカットして端面処理を行うことができる。
【００１８】
なお、上述の実施例においては、ゴムスリーブ１２の押し込みをカバー１３を前方に押すことにより行っているが、カバー１３を治具を用いて押し込んでも、或いはカバー１３とフェルール１１にねじ機構を設けて螺合によりゴムスリーブ１２を押し込むようにしてもよい。
【図面の簡単な説明】
【００１９】
【図１】フェルールの断面図である。
【図２】ゴムスリーブの断面図である。
【図３】カバーの断面図である。
【図４】光ファイバ心線にゴムスリーブを装着した状態の断面図である。
【図５】光ファイバ心線をフェルール内に挿入した状態の断面図である。
【図６】フェルールにカバーを装着した状態の断面図である。
【図７】平面図である。
【図８】正面図である。
【符号の説明】
【００２０】
１１  フェルール
１１ａ  細径孔部
１１ｂ  小径孔部
１１ｃ  中径孔部
１１ｄ  大径孔部
１１ｅ  錠止爪
１２  ゴムスリーブ
１２ａ  孔部
１３  カバー
１３ａ  孔部
１３ｂ  中径部
１３ｃ  大径部
１３ｅ  錠止枠
１４  光ファイバ心線
１４ａ  耐熱被覆層
１４ｂ  光ファイバ素線
【図１】
2008058913.tif 000003
【図２】
2008058913.tif 000004
【図３】
2008058913.tif 000005
【図４】
2008058913.tif 000006
【図５】
2008058913.tif 000007
【図６】
2008058913.tif 000008
【図７】
2008058913.tif 000009
【図８】
2008058913.tif 000010